(57)【特許請求の範囲】
【請求項１】
放送装置と、配信装置と、電子機器と、を含むコンテンツ配信システムであって、
前記電子機器は、固有の第１の鍵を持っており、
前記放送装置は、前記電子機器が持っている前記第１の鍵と対応する第４の鍵と、第２の鍵と、第３の鍵と、を持っており、
前記放送装置は、
前記第２の鍵を用いて、放送波によるコンテンツ配信に必要な制御情報を含むコンテンツ信号を暗号化し、暗号化されたコンテンツ信号を生成する第１の暗号化部と、
前記第３の鍵を用いて、前記第２の鍵と、前記コンテンツ信号の復号可否の判定に用いられるコンテンツ情報と、を暗号化し、第１のライセンス情報を生成する第２の暗号化部と、
前記第４の鍵を用いて、前記電子機器の契約情報および前記第３の鍵を暗号化し、第２のライセンス情報を生成する第３の暗号化部と、
放送波により、前記暗号化されたコンテンツ信号および前記第１のライセンス情報を送信する第１の送信部と、
通信手段により、前記第２のライセンス情報を、前記第１の鍵を持っている前記電子機器に送信する第２の送信部と、を備え、
前記配信装置は、
前記放送装置から、前記暗号化されたコンテンツ信号および前記第１のライセンス情報を受信する第１の受信部と、
前記暗号化されたコンテンツ信号における前記制御情報の少なくとも一部を０に置換し、置換処理後の前記暗号化されたコンテンツ信号を圧縮して、蓄積部に蓄積するとともに、前記第１のライセンス情報を蓄積部に蓄積する処理部と、
前記電子機器からの要求に応じ、前記蓄積されたコンテンツ信号を前記電子機器に送信するか否かを、前記第１のライセンス情報に基づいて判定し、送信すると判定された場合に、前記蓄積されたコンテンツ信号および前記第１のライセンス情報を通信手段により前記電子機器に配信する配信部と、を備え、
前記電子機器は、
前記放送装置から送信される、前記暗号化されたコンテンツ信号および前記第１のライセンス情報を、放送波から受信する第２の受信部と、
前記放送装置から送信される前記第２のライセンス情報を通信手段から受信する第３の受信部と、
前記電子機器が持っている前記第１の鍵を用いて前記第２のライセンス情報を復号し、前記契約情報および前記第３の鍵を復元する第１の復号部と、
復元された前記第３の鍵を用いて前記第１のライセンス情報を復号し、前記第２の鍵および前記コンテンツ情報を復元する第２の復号部と、
前記コンテンツ情報および前記契約情報に基づいて、前記暗号化されたコンテンツ信号を復号するか否かを判定する契約判定部と、
復号すると判定された場合に、前記復元された第２の鍵を用いて、前記暗号化されたコンテンツ信号を復号する第３の復号部と、を備えるとともに、さらに、
前記配信装置に対してコンテンツ信号の送信を要求するとともに、前記配信装置から送信される、前記暗号化されたコンテンツ信号および前記第１のライセンス情報を、通信手段から受信する通信部を備え、
前記第２の復号部は、前記第２の受信部が受信した前記第１のライセンス情報に対しても、前記通信部が受信した前記第１のライセンス情報に対しても、復号処理を行い、
前記契約判定部は、前記第２の受信部が受信した前記コンテンツ信号に対しても、前記通信部が受信した前記コンテンツ信号に対しても、復号するか否かの判定処理を行い、
前記第３の復号部は、前記第２の受信部が受信した前記コンテンツ信号に対しても、前記通信部が受信した前記コンテンツ信号に対しても、復号処理を行うことを特徴とする配信システム。
【請求項２】
暗号化されたコンテンツ信号と、これを復号するためのライセンス情報と、を放送波から受信する受信部と、
受信された前記コンテンツ信号および前記ライセンス情報を蓄積部に蓄積する処理部と、
電子機器からの要求に応じて、蓄積された前記コンテンツ信号および前記ライセンス情報を通信手段により配信する配信部と、を備え、
前記暗号化されたコンテンツ信号は、放送波による送信に必要な制御情報を含み、
前記処理部は、前記暗号化されたコンテンツ信号から前記制御情報の少なくとも一部を０に置換し、置換処理後の前記暗号化されたコンテンツ信号を圧縮して、前記蓄積部に蓄積することを特徴とする配信装置。
【請求項３】
前記配信部は、前記電子機器からの要求に応じて、要求されたコンテンツ信号を前記電子機器に送信するか否かを前記ライセンス情報に基づいて判定し、送信すると判定された場合に、前記コンテンツ信号を配信することを特徴とする請求項２に記載の配信装置。
【請求項４】
前記処理部は、前記ライセンス情報を修正して、前記蓄積部に蓄積し、
前記配信部は、要求されたコンテンツ信号を前記電子機器に送信するか否かを、前記修正されたライセンス情報に基づいて、判定することを特徴とする請求項３に記載の配信装置。
【請求項５】
暗号化されたコンテンツ信号を放送波により送信する放送装置と、
請求項２乃至４のいずれかに記載の配信装置と、
電子機器と、を含み、該電子機器は、
暗号化されたコンテンツ信号を放送波から受信する第２受信部と、
前記暗号化されたコンテンツ信号を復号するか否かを判定する契約判定部と、
復号すると判定された場合に、前記暗号化されたコンテンツ信号を復号する復号部と、を備えるとともに、さらに、
暗号化されたコンテンツ信号を通信手段から受信する通信部を備え、
前記契約判定部は、前記受信部が受信した前記コンテンツ信号に対しても、前記通信部が受信した前記コンテンツ信号に対しても、復号するか否かの判定処理を行い、
前記復号部は、前記受信部が受信した前記コンテンツ信号に対しても、前記通信部が受信した前記コンテンツ信号に対しても、復号処理を行う、配信システム。
【請求項６】
暗号化されたコンテンツ信号と、これを復号するためのライセンス情報と、を放送波から受信するステップと、
受信された前記コンテンツ信号および前記ライセンス情報を蓄積部に蓄積するステップと、
電子機器からの要求に応じて、蓄積された前記コンテンツ信号および前記ライセンス情報を通信手段により配信するステップと、を備え、
前記暗号化されたコンテンツ信号は、放送波による送信に必要な制御情報を含み、
前記蓄積するステップでは、前記暗号化されたコンテンツ信号から前記制御情報の少なくとも一部を０に置換し、置換処理後の前記暗号化されたコンテンツ信号を圧縮して、前記蓄積部に蓄積することを特徴とする配信方法。
【発明の詳細な説明】
【技術分野】
【０００１】
本発明は、暗号化されたコンテンツ信号を配信する配信装置、配信システム、配信方法および放送装置、ならびに、暗号化されたコンテンツ信号を受信する電子機器および受信プログラムに関する。
【背景技術】
【０００２】
従来から、放送波によりコンテンツ信号を送信し、テレビなどの電子機器でコンテンツ信号を受信および再生することが行われている。また近年では、通信手段によりコンテンツ信号を送信し、同様に電子機器で受信および再生することも一般的になりつつある。
【０００３】
これらのサービスを提供する事業者は、契約を結んだユーザのみがコンテンツを視聴できるよう、コンテンツ信号を暗号化して送信する。そのため、受信する電子機器側では暗号化されたコンテンツ信号を復号する必要がある。
【先行技術文献】
【特許文献】
【０００４】
【特許文献１】特開２０１０−１７８１７６号公報
【発明の概要】
【発明が解決しようとする課題】
【０００５】
一般に、放送波によりコンテンツ信号を送信する場合の暗号化処理と、通信手段によりコンテンツ信号を送信する場合の暗号化処理は異なっている。そのため、電子機器は、放送波用に暗号化されたコンテンツ信号を復号するための機能部と、通信手段用に暗号化されたコンテンツ信号を復号するための機能部と、の両方が必要である。その結果、電子機器の構成が複雑になり、製造コストや消費電力の増大を招いてしまうという問題がある。
【０００６】
本発明は上記の問題点に鑑みてなされたものであり、その目的は、暗号化されたコンテンツ信号を簡易な構成で復号できる電子機器および受信プログラムを提供するものである。また、本発明の別の目的は、そのような電子機器に対して暗号化されたコンテンツ信号を配信する配信装置、配信システム、配信方法および放送装置を提供するものである。
【課題を解決するための手段】
【０００７】
本発明の一態様によれば、放送装置（１）と、配信装置（２）と、電子機器（３）と、を含むコンテンツ配信システムであって、前記電子機器（３）は、固有の第１の鍵（Ｋｍ）を持っており、前記放送装置（１）は、前記電子機器が持っている前記第１の鍵と対応する第４の鍵（Ｋｍ）と、第２の鍵（Ｋｓ）と、第３の鍵（Ｋｗ）と、を持っており、前記放送装置（１）は、  前記第２の鍵（Ｋｓ）を用いて、放送波によるコンテンツ配信に必要な制御情報を含むコンテンツ信号を暗号化し、暗号化されたコンテンツ信号を生成する第１の暗号化部（１２１）と、  前記第３の鍵（Ｋｗ）を用いて、前記第２の鍵（Ｋｓ）と、前記コンテンツ信号の復号可否の判定に用いられるコンテンツ情報と、を暗号化し、第１のライセンス情報（ＥＣＭ）を生成する第２の暗号化部（１２２）と、前記第４の鍵（Ｋｍ）を用いて、前記電子機器の契約情報および前記第３の鍵（Ｋｗ）を暗号化し、第２のライセンス情報（ＥＭＭ）を生成する第３の暗号化部（１２３）と、放送波により、前記暗号化されたコンテンツ信号および前記第１のライセンス情報（ＥＣＭ）を送信する第１の送信部（１２４）と、通信手段により、前記第２のライセンス情報（ＥＭＭ）を、前記第１の鍵（Ｋｍ）を持っている前記電子機器に送信する第２の送信部（１２５）と、を備え、前記配信装置（２）は、前記放送装置から、前記暗号化されたコンテンツ信号および前記第１のライセンス情報（ＥＣＭ）を受信する第１の受信部（２１）と、前記暗号化されたコンテンツ信号における前記制御情報の少なくとも一部を所定の値に置換し、置換処理後の前記暗号化されたコンテンツ信号を圧縮して、蓄積部（２３）に蓄積するとともに、前記第１のライセンス情報（ＥＣＭ）を蓄積部に蓄積する処理部（２２）と、前記電子機器からの要求に応じ、前記蓄積されたコンテンツ信号を前記電子機器に送信するか否かを、前記第１のライセンス情報に基づいて判定し、送信すると判定された場合に、前記蓄積されたコンテンツ信号および前記第１のライセンス情報（ＥＣＭ）を通信手段により前記電子機器に配信する配信部（２４）と、を備え、前記所定の値は、圧縮率を高くするための値、または、０であり、前記電子機器（３）は、前記放送装置から送信される、前記暗号化されたコンテンツ信号および前記第１のライセンス情報（ＥＣＭ）を、放送波から受信する第２の受信部（３１ａ）と、前記放送装置から送信される前記第２のライセンス情報（ＥＭＭ）を通信手段から受信する第３の受信部（３１ｂ）と、前記電子機器が持っている前記第１の鍵（Ｋｍ）を用いて前記第２のライセンス情報（ＥＭＭ）を復号し、前記契約情報および前記第３の鍵（Ｋｗ）を復元する第１の復号部（３２１）と、復元された前記第３の鍵（Ｋｗ）を用いて前記第１のライセンス情報（ＥＣＭ）を復号し、前記第２の鍵（Ｋｓ）および前記コンテンツ情報を復元する第２の復号部（３２２）と、前記コンテンツ情報および前記契約情報に基づいて、前記暗号化されたコンテンツ信号を復号するか否かを判定する契約判定部（３２４）と、復号すると判定された場合に、前記復元された第２の鍵（Ｋｓ）を用いて、前記暗号化されたコンテンツ信号を復号する第３の復号部（３��）と、を備えるとともに、さらに、前記配信装置に対してコンテンツ信号の送信を要求するとともに、前記配信装置から送信される、前記暗号化されたコンテンツ信号および前記第１のライセンス情報を、通信手段から受信する通信部（３６）を備え、前記第２の復号部（３２２）は、前記第２の受信部（３１ａ）が受信した前記第１のライセンス情報（ＥＣＭ）に対しても、前記通信部（３６）が受信した前記第１のライセンス情報（ＥＣＭ）に対しても、復号処理を行い、前記契約判定部（３２４）は、前記第２の受信部（３１ａ）が受信した前記コンテンツ信号に対しても、前記通信部（３６）が受信した前記コンテンツ信号に対しても、復号するか否かの判定処理を行い、前記第３の復号部（３３）は、前記第２の受信部（３１ａ）が受信した前記コンテンツ信号に対しても、前記通信部（３６）が受信した前記コンテンツ信号に対しても、復号処理を行うことを特徴とする配信システムが提供される。
【０００８】
このような構成によれば、配信装置は、放送波から暗号化コンテンツ信号を受信するため、放送波用に暗号化されたコンテンツ信号をそのまま電子機器に配信できる。また、電子機器は、放送波から受信したコンテンツ信号も、通信手段から受信したコンテンツ信号も処理するため、その構成を簡略化できる。
【０００９】
本発明の一態様によれば、暗号化されたコンテンツ信号と、これを復号するためのライセンス情報と、を放送波から受信する受信部と、受信されたコンテンツ信号およびライセンス情報を蓄積部に蓄積する処理部と、電子機器からの要求に応じて、蓄積されたコンテンツ信号およびライセンス情報を通信手段により配信する配信部と、を備えることを特徴とする配信装置が提供される。
このような構成によれば、放送波から暗号化コンテンツ信号を受信するため、放送波用に暗号化されたコンテンツ信号をそのまま電子機器に配信できる。
【００１０】
また、前記暗号化されたコンテンツ信号は、放送波による送信に必要な制御情報を含み、前記処理部は、前記暗号化されたコンテンツ信号から前記制御情報の少なくとも一部を所定の値に置換し、置換処理後の前記暗号化されたコンテンツ信号を圧縮してもよい。この場合、前記所定の値は、圧縮率を高くするための値、または、０であるのが望ましい。
このような構成によれば、制御情報を置換することで圧縮率を高くできる。
【００１１】
また、前記配信部は、前記電子機器からの要求に応じて、要求されたコンテンツ信号を前記電子機器に送信するか否かを前記ライセンス情報に基づいて判定し、送信すると判定された場合に、前記コンテンツ信号を配信してもよい。
このような構成によれば、コンテンツ信号を配信すべき電子機器を適切に判定できる。
【００１２】
また、前記処理部は、前記ライセンス情報を修正して、前記蓄積部に蓄積し、前記配信部は、要求されたコンテンツ信号を前記電子機器に送信するか否かを、前記修正されたライセンス情報に基づいて、判定してもよい。
【００１３】
本発明の一態様によれば、暗号化されたコンテンツ信号を放送波から受信する受信部と、前記暗号化されたコンテンツ信号を復号するか否かを判定する契約判定部と、復号すると判定された場合に、前記暗号化されたコンテンツ信号を復号する復号部と、を備えるとともに、暗号化されたコンテンツ信号を通信手段から受信する通信部をさらに備える電子機器が提供される。そして、前記契約判定部は、前記受信部が受信した前記コンテンツ信号に対しても、前記通信部が受信した前記コンテンツ信号に対しても、復号するか否かの判定処理を行い、前記復号部は、前記受信部が受信した前記コンテンツ信号に対しても、前記通信部が受信した前記コンテンツ信号に対しても、復号処理を行う。
このような構成によれば、放送波から受信したコンテンツ信号も、通信手段から受信したコンテンツ信号も処理するため、電子機器の構成を簡略化できる。
【００１４】
本発明の一態様によれば、暗号化されたコンテンツ信号を放送波により送信する放送装置と、上記配信装置と、上記電子機器と、を含む配信システムが提供される。
【００１５】
本発明の一態様によれば、暗号化されたコンテンツ信号と、これを復号するためのライセンス情報と、を放送波から受信するステップと、受信されたコンテンツ信号およびライセンス情報を蓄積部に蓄積するステップと、電子機器からの要求に応じて、蓄積されたコンテンツ信号およびライセンス情報を通信手段により配信するステップと、を備えることを特徴とする配信方法が提供される。
【００１６】
本発明の一態様によれば、暗号化されたコンテンツ信号を放送波から受信するステップと、暗号化されたコンテンツ信号を通信手段から受信するステップと、前記放送波から受信されたコンテンツ信号に対しても、前記通信手段から受信されたコンテンツ信号に対しても、復号するか否かを判定するステップと、復号すると判定された場合に、前記暗号化されたコンテンツ信号を復号するステップと、をコンピュータに実行させる受信プログラムが提供される。
【００１７】
本発明の一態様によれば、コンテンツ信号を構成する第１の信号を放送手段により送信する放送配信部と、前記コンテンツ信号を構成する第２の信号を通信手段により配信する通信配信部と、を備え、前記第１の信号および前記第２の信号は、１つの復号部で復号できるよう、フォーマットが共通しており、前記第１の信号は前記第２の信号と同期して送信されることを特徴とする放送装置が提供される。
このような構成によれば、第１の信号および第２の信号が１つの復号部で復号できるため、これらの信号を受信する機器の構成を簡略化できる。
【００１８】
放送装置は、前記コンテンツ信号を暗号化する暗号化部と、暗号化された前記コンテンツ信号を、前記第１の信号と、前記第２の信号とに分離するコンテンツ分離部と、を備えるのが望ましい。
このような構成によれば、１つの暗号化部によってコンテンツ信号を暗号化するため、第１の信号と第２の信号とを同じフォーマットとすることができる。
【００１９】
本発明の一態様によれば、コンテンツ信号を構成する、暗号化部によって暗号化された第１の信号を放送手段から受信する受信部と、前記第１の信号と同期して送信された、前記コンテンツ信号を構成する、前記暗号化部によって暗号化された第２の信号を通信手段から受信する通信部と、前記第１の信号と前記第２の信号とを結合するコンテンツ結合部と、前記暗号化された第１の信号も、前記暗号化された第２の信号も、前記結合された信号も復号可能な復号部と、を備えることを特徴とする電子機器が提供される。
このような構成によれば、１つの復号部を第１の信号、第２の信号および結合された信号をするため、電子機器の構成を簡略化できる。
【００２０】
また、本発明の一態様によれば、上記放送装置と、上記電子機器と、を含む配信システムが提供される。
【００２１】
また、本発明の一態様によれば、コンテンツ信号を構成する、暗号化部によって暗号化された第１の信号を放送手段から受信するステップと、前記第１の信号と同期して送信された、前記コンテンツ信号を構成する、前記暗号化部によって暗号化された第２の信号を通信手段から受信するステップと、前記第１の信号と前記第２の信号とを結合するステップと、復号手段が、前記暗号化された第１の信号、前記暗号化された第２の信号および前記結合された信号のいずれかを復号するステップと、をコンピュータに実行させる受信プログラムが提供される。
【発明の効果】
【００２２】
本発明によれば、暗号化されたコンテンツ信号を簡易な構成で復号できる。
【図面の簡単な説明】
【００２３】
【図１】本発明の第１の実施形態に係るコンテンツ配信システムの概略構成を示す図。
【図２】コンテンツ配信システムを利用するための「商品」と「コンテンツ」との関係を例示する図。
【図３】図１の各装置の内部構成を示すブロック図。
【図４】顧客情報記憶部１１に記憶される顧客ごとの顧客情報の構造の一例を示す図。
【図５】コンテンツ保護処理部１２の詳細な構成を示すブロック図。
【図６】コンテンツ情報を説明する図。
【図７】契約情報を説明する図。
【図８】処理部２２の処理の一例を示す図。
【図９】処理部２２の処理の別の例を示す図。
【図１０】電子機器３の詳細な構成を示すブロック図。
【図１１】コンテンツ配信システムの処理動作の一例を示すシーケンス図。
【図１２】本発明の比較例であるコンテンツ配信システムにおける各装置の内部構成を示すブロック図。
【図１３】第２の実施形態に係るコンテンツ配信システムの概略構成を示す図。
【発明を実施するための形態】
【００２４】
以下、本発明に係る実施形態について、図面を参照しながら具体的に説明する。
【００２５】
（第１の実施形態）
図１は、本発明の第１の実施形態に係るコンテンツ配信システムの概略構成を示す図である。コンテンツ配信システムは、放送装置１、配信装置２および電子機器３から構成される。同図には１台の電子機器３を描いているが、通常は複数台の電子機器３がコンテンツ配信システムに含まれている。放送装置１は、放送波により、暗号化されたコンテンツ信号を電子機器３に送信するものである。配信装置２は、通信手段により、暗号化されたコンテンツ信号を電子機器３に送信するものである。
【００２６】
ここで、コンテンツ信号は、ニュース、映画、ドラマ、音楽番組などであり、特に種類は問わない。また、通常のコンテンツ信号は映像信号および音声信号を含むが、コンテンツ信号が映像信号および音声信号の一方のみを含んでいても構わない。
【００２７】
また、コンテンツ信号は、ＰＳＩ（Program Specific Information：番組特定情報）や、ＳＩ（Service Information：番組配列情報）といった制御情報を含んでいる。ＰＳＩは放送コンテンツを再生するために必要な情報である。ＳＩは放送コンテンツに関する情報であり、コンテンツのタイトルや内容等の情報を含む。このような制御情報は、放送装置１から放送波によりコンテンツ信号を送信し、電子機器３で受信して再生する場合に必要な情報である。しかしながら、制御情報は、配信装置２から通信手段によりコンテンツ信号を配信し、電子機器３で再生する場合には、必ずしも必要ではない。
【００２８】
放送装置１は、例えば放送局内に設けられ、コンテンツ信号を暗号化して保護した上で、放送波によりコンテンツ信号を送信する。
【００２９】
配信装置２は、放送装置１から送信される放送波からコンテンツ信号を受信し、内部に蓄積しておく。そして、配信装置２は、電子機器３を用いてユーザから要求されるコンテンツ信号を、通信手段により電子機器３に配信する。
【００３０】
電子機器３は、スマートフォン、タブレット端末、パーソナルコンピュータ、テレビなどであり、ユーザが使用する受信器である。電子機器３は放送装置１から送信される放送波からコンテンツ信号を受信する。これにより、電子機器３は現在放送されているコンテンツをリアルタイムに再生できる。以下では、便宜上、このような放送波によるコンテンツの配信および再生方式をリアルタイム放送サービスと呼ぶ。リアルタイム放送サービスを利用するだけであれば、放送装置１および電子機器３があれば十分である。
【００３１】
一方、電子機器３は、配信装置２に要求を行うことにより、配信装置２に蓄積されているコンテンツ信号を通信手段から受信する。これにより、電子機器３は、ユーザが所望するコンテンツを、ユーザが所望する時間に再生することができる。以下では、便宜上、このような通信手段によるコンテンツの配信および再生方式を、ＶｏＤ（Video on Demand）サービスと呼ぶ。ＶｏＤサービスを利用するためには、放送装置１、配信装置２および電子機器３が必要である。
リアルタイム放送サービスおよびＶｏＤサービスは、同一の事業者により提供されてもよいし、異なる事業者により提供されてもよい。
【００３２】
本実施形態は、専ら放送役務であるリアルタイム放送サービスのみを利用することを目的として設計された電子機器３内の各機能部をほとんど変更することなく、通信手段により提供されるＶｏＤサービス用の処理に流用できるようにするものである。
【００３３】
このようなコンテンツ配信システムにおけるリアルタイム放送サービスおよび／またはＶｏＤサービスを利用する場合、ユーザは、各サービスの事業者と契約を結んで、コンテンツを視聴するための商品を購入する必要がある。
【００３４】
図２は、コンテンツ配信システムを利用するための「商品」と「コンテンツ」との関係を例示する図である。商品はユーザが電子機器３を用いて購入する単位であり、１つの商品は１または複数のコンテンツが関連付けられている。
【００３５】
例えば、同図では、コンテンツＣ１〜Ｃ３が商品Ｐ１に属している。よって、商品Ｐ１を購入したユーザは、コンテンツＣ１〜Ｃ３を視聴できる。逆に言うと、コンテンツＣ１〜Ｃ３の全部またはいずれかを視聴したいユーザは商品Ｐ１を購入すればよい。コンテンツＣ１〜Ｃ３はドラマの初回から第３回というように互いに関連性があるものでもよいし、特に関連性がなくてもよい。
【００３６】
また、同図では、コンテンツＣ２は商品Ｐ１にも商品Ｐ２にも属している。このように１つのコンテンツが複数の商品に属していてもよい。この場合、コンテンツＣ２を視聴したいユーザは、商品Ｐ１を購入してもよいし、商品Ｐ２を購入してもよい。
【００３７】
また、同図では商品Ｐ３に属する商品は商品Ｐ２に属する商品と同じである。しかしながら、商品Ｐ２はリアルタイム放送サービスのみでコンテンツＣ２，Ｃ４を視聴できる商品であり、商品Ｐ３はリアルタイム放送サービスのみならずＶｏＤサービスでもコンテンツＣ２，Ｃ４を視聴できる商品とすることができる。そして、商品Ｐ２より商品Ｐ３を高額に設定しておいてもよい。
【００３８】
このように、コンテンツの種類や数、供給されるサービス、料金、さらには視聴可能な期間等種々の観点から商品が設定される。これにより、ユーザの選択肢が増え、利便性が向上する。
【００３９】
このような商品についての情報は、放送波または通信手段により、放送装置１から電子機器３に送信される。電子機器３には、商品についての情報が表示され、ユーザが電子機器３を用いて任意の商品を購入できる。どのユーザがどの商品を購入したかを示す情報は、放送装置１内に顧客情報として記録される（後述）。また、電子機器３には購入した商品を示す情報が契約情報として記憶される（後述）。
図３は、図１の各装置の内部構成を示すブロック図である。放送装置１、配信装置２および電子機器３の順に、内部構成について説明していく。
放送装置１は、顧客情報記憶部１１と、コンテンツ保護処理部１２とを備えている。
【００４０】
図４は、顧客情報記憶部１１に記憶される顧客ごとの顧客情報の構造の一例を示す図である。顧客情報は本コンテンツ配信システムと契約を結んだ契約者に関する情報である。より具体的には、顧客情報は、契約者を特定するＩＤ（契約者ＩＤ）と、各契約者が購入した商品（購入商品）と、各契約者に固有の鍵Ｋｍ（マスタ鍵、第１の鍵）とを関連付けて記憶する。契約者ＩＤは、例えばユーザが使用している電子機器３に固有の情報でもよいし、任意のユーザＩＤなどでもよい。鍵Ｋｍは契約者ごとに付与されるものである。すなわち、各電子機器３は固有の鍵Ｋｍを持っており、放送装置１は契約者の数だけ互いに異なる鍵Ｋｍ（すなわち、第１の鍵と対応する第４の鍵）を持っている。
【００４１】
図３に戻り、コンテンツ保護処理部１２はコンテンツ供給者からコンテンツを取得する。そして、コンテンツ保護処理部１２は、コンテンツ信号を配信装置２や電子機器３に送信する過程で、契約者以外の第三者にコンテンツ信号が再生されることがないよう、保護処理を行う。また、コンテンツ保護処理部１２は、上記契約情報や所定の鍵を用いて、暗号化されたコンテンツ信号を復号するためのライセンス情報を生成する。以下、コンテンツ保護処理部１２についてより詳細に説明する。
【００４２】
図５は、コンテンツ保護処理部１２の詳細な構成を示すブロック図である。コンテンツ保護処理部１２は、スクランブラ（第１の暗号化部）１２１と、暗号化部（第２、第３の暗号化部）１２２，１２３と、送信部１２４，１２５とを有する。コンテンツ保護処理部１２は、１つの装置で構成されてもよいし、複数の装置で構成されてもよい。また、コンテンツ保護処理部１２内の各部は、全体をハードウェアで構成されてもよいし、内部のプロセッサがコンテンツ保護処理プログラム（不図示）を実行することにより、少なくとも一部がソフトウェアで実現されてもよい。
【００４３】
スクランブラ１２１は、鍵Ｋｓ（スクランブル鍵、第２の鍵）を用いて、コンテンツ信号をスクランブル処理する。これにより、コンテンツ信号は暗号化され、鍵Ｋｓがなければ復号できない状態となる。なお、鍵Ｋｓはコンテンツ保護処理部１２が持っている鍵であり、送信先の電子機器３ごとに異なるものではなく、また、コンテンツごとに異なるものでもない。
【００４４】
暗号化部１２２は、鍵Ｋｗ（ワーク鍵、第３の鍵）を用いて、鍵Ｋｓおよびコンテンツ情報（後述）を暗号化し、ライセンス情報ＥＣＭ（Entitlement Control Message、第１のライセンス情報）を生成する。これにより、鍵Ｋｓおよびコンテンツ情報は、鍵Ｋｗがなければ復号できない状態となる。鍵Ｋｗもコンテンツ保護処理部１２が持っている鍵であり、送信先の電子機器３ごとに異なるものではなく、また、コンテンツごとに異なるものでもない。
【００４５】
図６は、上記コンテンツ情報を説明する図である。コンテンツ情報はコンテンツ信号ごとに付与される情報であり、当該コンテンツがどの商品に属しているかを示す。例えば図６では、コンテンツ情報は、付与対象のコンテンツが「Ｃ２」であって商品「Ｐ１」，「Ｐ２」および「Ｐ３」に属していることを示す（図２を参照）。
【００４６】
図５に戻り、送信部１２４は、以上のようにして生成された、暗号化されたコンテンツ信号と、ライセンス情報ＥＣＭとを組にして、放送波により送信する。暗号化されたコンテンツ信号およびライセンス情報ＥＣＭは放送役務より提供されるものであり、送信先は特定されない。
【００４７】
一方、暗号化部１２３は特定の電子機器３に送信されるライセンス情報ＥＭＭ（Entitlement Management Message、第２のライセンス情報）を生成する。より具体的には、暗号化部１２３は、送信先の契約者の鍵Ｋｍを用いて、鍵Ｋｗおよび契約情報（後述）を暗号化し、ライセンス情報ＥＭＭを生成する。これにより、鍵Ｋｗおよび契約情報は、鍵Ｋｍがなければ復号できない状態となる。ライセンス情報ＥＭＭを通信手段により送信することで、放送帯域を圧迫することを防げるとともに、ライセンス情報ＥＭＭが特定の電子機器３により受信されたことを容易に確認できる。そして、送信部１２５は、通信手段により、ライセンス情報ＥＭＭを特定の電子機器３に送信する。
【００４８】
図７は、上記契約情報を説明する図である。この契約情報は顧客情報記憶部１１に記憶される顧客情報から生成される。契約情報は特定の契約者がどの商品を購入しているかを示す。例えば図７では、契約者ＩＤが「Ｕ１」である契約者（以下、単に「契約者Ｕ１」ともいう）が、電子機器３を用いて、商品「Ｐ１」，「Ｐ５」，「Ｐ６」を購入していることを示す（図４を参照）。この契約情報および鍵Ｋｗが契約者Ｕ１に固有の鍵Ｋｍ１（図４）を用いて暗号化され、ライセンス情報ＥＭＭとして契約者Ｕ１の電子機器３へ送信される。そして、ライセンス情報ＥＭＭは電子機器３内に記憶される。
【００４９】
なお、ライセンス情報ＥＭＭは個別のコンテンツに関する情報を含まないため、各コンテンツ信号と組にして送信しなくてもよい。定期的（例えば１か月に１回）に、あるいは、契約情報に変更があった場合（例えば契約者が新たな商品を購入した場合）に、放送装置１から電子機器３にライセンス情報ＥＭＭを送信するようにしてもよい。
【００５０】
このようにして、放送装置１は、暗号化されたコンテンツ信号およびライセンス情報ＥＣＭを放送波により送信し、ライセンス情報ＥＭＭを通信手段により送信する。
【００５１】
続いて図３に戻り、配信装置２について説明する。配信装置２は、放送装置１から送信される放送波から、暗号化されたコンテンツ信号を受信し、これを通信手段により電子機器３に配信するものである。配信装置２は、受信部（第１の受信部）２１と、処理部２２と、蓄積部２３と、配信部２４と、顧客情報記憶部２５とを備えている。配信装置２は、１つの装置で構成されてもよいし、複数の装置で構成されてもよい。また、配信装置２内の各部は、全体をハードウェアで構成してもよいし、内部のプロセッサが配信プログラム（不図示）を実行することによって少なくとも一部がソフトウェアで実現されてもよい。
【００５２】
さらに、リアルタイム放送サービスおよびＶｏＤサービスが同一事業者により提供される場合などには、配信装置２の少なくとも一部を放送局内あるいは放送装置１内に設けたり、顧客情報記憶部２５など放送装置１の少なくとも一部を配信装置２と共用したりしてもよい。
受信部２１は、放送装置１から送信される放送波から、暗号化されたコンテンツ信号およびライセンス情報ＥＣＭを受信する。
【００５３】
処理部２２は、必要に応じて、暗号化されたコンテンツ信号やライセンス情報ＥＣＭを処理し、コンテンツ信号を圧縮する。そして、圧縮されたコンテンツ信号を蓄積部２３に蓄積する。
【００５４】
図８は、処理部２２の処理の一例を示す図であり、コンテンツ信号に対する処理を示している。同図に示すように、コンテンツ信号はパケット（例えば１８８バイト）に分割されて送信される。各パケットには、コンテンツ用のデータもあれば、ＰＳＩやＳＩといった制御情報もある。上述のように、通信手段によりコンテンツ信号を配信する場合、制御情報は不要である。そこで、処理部２２は制御情報の少なくとも一部を除去し、例えば０に置換する。
【００５５】
このように不要な制御情報を置換することで、圧縮率を向上できる。もちろん、置換しない場合に比べて圧縮率を向上させることが可能な他の値に置換してもよい。単に除去するだけでなく置換処理を行うため、パケットの数やパケット内のビット数などコンテンツ信号のフォーマット（形状）を留めることができる。
【００５６】
図９は、処理部２２の処理の別の例を示す図であり、ライセンス情報ＥＣＭに対する処理を示している。ライセンス情報ＥＣＭはコンテンツ情報（例えば図６）を含んでおり、処理部２２はこのコンテンツ情報を修正してもよい。
【００５７】
図２において、商品Ｐ２はコンテンツＣ４をリアルタイム放送サービスのみで視聴できる商品であり、商品Ｐ３はコンテンツＣ４をＶｏＤサービスでも視聴できる商品であると説明した。この場合、放送装置１からコンテンツＣ４用のコンテンツ信号を送信する際に付与されるコンテンツ情報は、コンテンツＣ４が商品Ｐ２，Ｐ３に含まれることを示している。そこで、処理部２２はコンテンツＣ４が属する商品としての商品Ｐ２を削除する。これにより、ＶｏＤサービスにおいては、商品Ｐ３でのみコンテンツＣ４を視聴できるようになる。
もちろん、その他種々の事情を考慮して、処理部２２はライセンス情報ＥＣＭを任意に変更できる。
【００５８】
このようにライセンス情報ＥＣＭを修正する処理を配信装置２で行うことができる。そのため、放送装置１では、リアルタイム放送サービス用のコンテンツ情報と、ＶｏＤサービス用のコンテンツ情報とを区別できるように生成する必要はないし、受信する電子機器３側でも、リアルタイム放送サービス用のコンテンツ情報なのか、ＶｏＤサービス用のコンテンツ情報なのかを意識する必要はない。
図３に戻り、処理部２２は、以上のような処理を行った後、圧縮されたコンテンツ信号およびライセンス情報ＥＣＭの組を蓄積部２３に蓄積する。
【００５９】
配信部２４はコンテンツ送信の要求を電子機器３から受け付ける。この要求は、コンテンツ信号を特定するための情報と、契約者ＩＤを示す情報とを含んでいる。これらの情報に基づいて、配信部２４は要求されたコンテンツ信号を電子機器３に配信するか否かを判断する。
【００６０】
より具体的には以下のようにする。配信部２４は、ライセンス情報ＥＣＭに含まれるコンテンツ情報（例えば図６、処理部２２により修正された場合は修正されたコンテンツ情報）に基づいて、要求されたコンテンツ信号が属する商品を特定する。また、顧客情報記憶部２５は、放送装置１の顧客情報記憶部１１と同様に、顧客情報（例えば図４）を記憶している。そこで、配信部２４は、契約者ＩＤに基づいて、上記特定された商品が当該契約者に購入されていれば、配信すると判断する。
【００６１】
配信部２４が配信しないと判断した場合、すなわち、要求したコンテンツを視聴するための商品を契約者が購入していない場合、配信部２４は要求されたコンテンツ信号を電子機器３に配信しない。仮にコンテンツ信号を電子機器３に配信したとしても、後述する電子機器３の契約判断により、コンテンツ信号は再生できない。よって、配信部２４から電子機器３にコンテンツ信号を配信しないようにすることで、配信による負荷を軽減できる。なおこの場合、商品未購入であるために配信できない旨の情報や、商品の購入を促すための情報を電子機器３に配信してもよい。
【００６２】
一方、配信部２４が配信すると判断した場合、配信部２４は要求されたコンテンツ信号をライセンス情報ＥＣＭとともに電子機器３に配信する。配信部２４は、圧縮されたコンテンツ信号を伸長して配信してもよいが、圧縮したまま配信することで通信量を抑制してもよい。
【００６３】
このように、配信装置２は、コンテンツ信号やライセンス情報ＥＣＭに対して、通信に特有の保護処理を行うことなく、電子機器３に配信する。よって、電子機器３に配信されるコンテンツ信号は、放送装置１が送信したコンテンツ信号から不要な情報を除去しただけであり、信号のフォーマットなど本質的には放送装置１が送信したコンテンツ信号と同一である。
【００６４】
続いて、電子機器３について説明する。電子機器３は、受信部３１と、判定部３２およびデクスランブラ（第３の復号部）３３を含むコンテンツ保護解除部３０と、デコーダ３４と、再生部３５と、通信部３６とを備えている。電子機器３は、１つの装置で構成されてもよいし、複数の装置で構成されてもよい。また、電子機器３内の各部は、全体をハードウェアで構成されてもよいし、内部のプロセッサが受信プログラム（不図示）を実行することによって少なくとも一部がソフトウェアで実現されてもよい。
【００６５】
受信部３１は、放送装置１から送信される暗号化されたコンテンツ信号およびライセンス情報ＥＣＭを放送波から受信するとともに、放送装置１から送信されるライセンス情報ＥＭＭを通信手段から受信する。
【００６６】
判定部３２は、ライセンス情報ＥＣＭ，ＥＭＭに基づいて、受信したコンテンツ信号を再生するか否か、すなわち、暗号化されたコンテンツ信号を復号するか否かを判定する契約判定を行う。再生すると判定された場合、判定部３２は電子機器３が持っている鍵Ｋｍを用いてライセンス情報ＥＣＭ，ＥＭＭを復号する。これにより鍵Ｋｓが復元され、デスクランブラ３３に供給される。
【００６７】
デスクランブラ３３は、鍵Ｋｓを用いて、再生すると判定された暗号化されたコンテンツ信号を復号し、暗号化される前のコンテンツ信号を復元する。より具体的には、デスクランブラ３３は、スクランブル処理が施されたコンテンツ信号に対して、デスクランブル処理を施す。
【００６８】
デコーダ３４は復元されたコンテンツ信号を映像信号および／または音声信号に変換する。再生部３５は、映像信号を再生するディスプレイや、音声信号を再生するスピーカである。
【００６９】
リアルタイム放送サービスを利用するだけであれば、電子機器３は以上に説明した受信部３１、判定部３２、デスクランブラ３３、デコーダ３４および再生部３５を備えていればよい。さらにＶｏＤサービスを利用する場合には、電子機器３に通信部３６の機能を追加すればよい。通信部３６は一般的な通信プロトコルに基づいて通信を行う機能部であり、電子機器３が予めそのような機能を有する場合には、特に追加の必要もない。
【００７０】
この通信部３６は、ユーザの指示に従い、配信装置２に対してコンテンツ信号を配信するよう要求する。そして、配信装置２から配信される暗号化されたコンテンツ信号およびライセンス情報ＥＣＭを、通信手段から受信する。そして、通信部３６は、コンテンツ信号が圧縮されている場合には、伸長処理を行う。
【００７１】
上述した判定部３２は、放送装置１から送信されたコンテンツ信号に対しても、配信装置２から配信されたコンテンツ信号に対しても、契約判定を行うことができる。同様に、デスクランブラ３３は、放送装置１から送信されたコンテンツ信号に対しても、配信装置２から配信されたコンテンツ信号に対しても、デスクランブル処理を施すことができる。その理由は、放送装置１から送信されるコンテンツ信号およびライセンス情報ＥＣＭと、配信装置２から配信されるコンテンツ信号およびライセンス情報ＥＣＭとの間にフォーマット上の差異がないためである。
【００７２】
よって、放送装置１から送信される放送波を受信してリアルタイム放送サービスを利用することを目的として設計された電子機器３を用いてＶｏＤサービスを追加的に利用する場合でも、受信部３１、判定部３２、デスクランブラ３３、デコーダ３４および再生部３５をほとんど変更することなく、これらをＶｏＤサービス用の処理に流用できる。また、新たに必要となる通信部３６は、必要に応じて、電子機器３または受信プログラムのバージョンアップなどにより対応してもよい。
図１０は、電子機器３の詳細な構成を示すブロック図である。
【００７３】
受信部３１は、受信部（第２の受信部、第３の受信部）３１ａ，３１ｂを有する。受信部３１ａは、暗号化されたコンテンツ信号およびライセンス情報ＥＣＭを、放送装置１により送信される放送波から受信する。受信部３１ｂは、放送装置１から送信されるライセンス情報ＥＭＭを、通信手段から受信する。以上の説明から明らかであるが、受信部３１ａが受信するコンテンツ信号およびライセンス情報ＥＣＭは、配信装置２の受信部２１が受信するコンテンツ信号およびライセンス情報ＥＣＭと同じものである。なお、通信部３６によってライセンス情報ＥＭＭおよびコンテンツ信号を受信してもよい。
【００７４】
判定部３２は、復号部（第２の復号部、第３の復号部）３２１，３２２と、契約情報記憶部３２３と、契約判定部３２４とを有する。
【００７５】
復号部３２１は、電子機器３が持っている鍵Ｋｍを用いてライセンス情報ＥＭＭを復号し、鍵Ｋｗおよび契約情報を復元する。放送装置１のコンテンツ保護処理部１２により生成されるライセンス情報ＥＭＭは、特定の鍵Ｋｍを用いて、特定の電子機器３に送信されるものである。そして、送信先の電子機器３は同じ鍵Ｋｍを持っているため、ライセンス情報ＥＭＭを復号できる。復元された契約情報は契約情報記憶部３２３に記憶される。
【００７６】
復号部３２２は、復元された鍵Ｋｗを用いてライセンス情報ＥＣＭを復号し、鍵Ｋｓおよびコンテンツ情報を復元する。ここで、復号部３２２は、受信部３１ａが放送波から受信したライセンス情報ＥＣＭであるか、通信部３６が通信手段から受信したライセンス情報ＥＣＭであるか、を意識することなく、同様に復号できる。
【００７７】
契約判定部３２４は、復元されたコンテンツ情報および契約情報に基づいて、受信したコンテンツ信号を復号するか否かを判定する。より具体的には、契約判定部３２４は、コンテンツ情報（例えば図６）に基づいて、受信したコンテンツ信号が属する商品を特定する。さらに、契約判定部３２４は、契約情報（例えば図７）に基づいて、上記特定された商品が当該契約者に購入されていれば、復号すると判定する。
【００７８】
復号すると判定された場合、契約判定部３２４は鍵Ｋｓをデスクランブラ３３に供給する。復号しないと判定された場合、契約判定部３２４は鍵Ｋｓをデスクランブラ３３には供給しない。この場合、商品未購入であるために配信できない旨の情報や、商品の購入を促すための情報を再生部３５に表示するようにしてもよい。
【００７９】
以上のようにようにして復元された鍵Ｋｓを用いて、デスクランブラ３３は暗号化されたコンテンツ信号を復元する。ここで、デスクランブラ３３は、受信部３１ａが放送波から受信したコンテンツ信号であるか、通信部３６が通信手段から受信したコンテンツ信号であるか、を意識することなく、同様に復号できる。復元されたコンテンツ信号はデコーダ３４により映像信号および音声信号に変換され、再生部３５によりコンテンツが再生される。
【００８０】
図１１は、コンテンツ配信システムの処理動作の一例を示すシーケンス図である。同図では、契約情報を含むライセンス情報ＥＭＭが前もって放送装置１から電子機器３に送信され、契約情報記憶部３２３内に契約情報が予め記憶されているものとする。
【００８１】
放送装置１のコンテンツ保護処理部１２は、コンテンツに対して保護処理を行い（ステップＳ１１）、放送波によりコンテンツ信号およびライセンス情報ＥＣＭを組にして送信する（ステップＳ１２）。
【００８２】
配信装置２の受信部２１は、コンテンツ信号およびライセンス情報ＥＣＭの組を、放送波から受信する（ステップＳ２１）。処理部２２は、コンテンツ信号およびライセンス情報ＥＣＭに対して必要な処理を行った上でコンテンツ信号を圧縮し（ステップＳ２２）、蓄積部２３に蓄積しておく（ステップＳ２３）。
【００８３】
電子機器３は、コンテンツ信号およびライセンス情報ＥＣＭを放送波から受信する（ステップＳ３１）ことにより、リアルタイム放送サービスの提供を受けることができる。すなわち、放送されるコンテンツを視聴することがユーザから電子機器３に対して設定されている場合（ステップＳ３２のＹＥＳ）、判定部３２は、ライセンス情報ＥＭＭおよびコンテンツ情報に基づいて、コンテンツ信号を復号するか否かの判定を行う（ステップＳ３３）。
【００８４】
電子機器３のユーザとリアルタイム放送サービスの事業者との間で契約が結ばれており、かつ、受信されたコンテンツ信号を視聴するための商品が購入されている場合、復号すると判定される（ステップＳ３３のＹＥＳ）。そして、デスクランブラ３３は暗号化されたコンテンツ信号を復号し、デコーダ３４はコンテンツ信号を映像信号および／または音声信号に変換し、再生部３５はコンテンツを映像信号および／または音声信号として再生する（ステップＳ３４）。
一方、電子機器３は、配信装置２に対してコンテンツ信号を配信するよう要求することで（ステップＳ３５）、ＶｏＤサービスの提供を受けることができる。
【００８５】
配信装置２の配信部２４は、コンテンツ要求を受信すると（ステップＳ２４）、ライセンス情報ＥＣＭに基づいて、コンテンツ要求を送信した電子機器３に対して、コンテンツ信号を配信するか否かを判定する。配信すると判定されると（ステップＳ２５のＹＥＳ）、配信部２４は、要求されたコンテンツ信号およびライセンス情報ＥＣＭを組にして、通信手段により電子機器３に配信する（ステップＳ２６）。
【００８６】
電子機器３の通信部３６はコンテンツ信号およびライセンス情報ＥＣＭの組を受信する（ステップＳ３６）。そして、判定部３２は、ライセンス情報ＥＭＭおよびコンテンツ情報に基づいて、コンテンツ信号を復号するか否かの判定を行う（ステップＳ３７）。通常、配信装置２の配信部２４が配信すると判定したコンテンツは、判定部３２により復号すると判定されるはずである（ステップＳ３７のＹＥＳ）。そして、ステップＳ３４と同様にして、コンテンツが再生される（ステップＳ３８）。
【００８７】
図１２は、本発明の比較例であるコンテンツ配信システムにおける各装置の内部構成を示すブロック図である。比較例では、配信装置２’が放送波から暗号化されたコンテンツ信号およびライセンス情報ＥＣＭを受信するのではなく、コンテンツを直接取得して蓄積部２３’に蓄積する。まずこの点が本実施形態の図３と大きく異なっている。
【００８８】
そして、図１２では、コンテンツ信号を配信装置２’から電子機器３’に配信する場合、配信装置２’に設けられるコンテンツ保護処理部５１により、コンテンツ信号を通信手段で配信するためのコンテンツ保護処理が施した上で、電子機器３’の通信部３６に配信する。
【００８９】
一般に、放送波用のコンテンツ保護処理は、通信手段用のコンテンツ保護処理とは異なる。よって、放送用のコンテンツ保護処理がなされたコンテンツ信号およびライセンス情報ＥＣＭを処理するコンテンツ保護解除部３０を、通信手段用のコンテンツ保護処理がなされたコンテンツ信号およびライセンス情報ＥＣＭを処理するために流用することはできない。そのため、電子機器３’には通信手段用のコンテンツ保護処理を解除するためのコンテンツ保護解除部５２が新たに設けられる。結果として電子機器３’に２つのコンテンツ保護解除部３０，５２を設けなければならず、電子機器３の構成が複雑化してしまう。
これに対し、図３に示す本実施形態では、電子機器３内には１つのコンテンツ保護解除部３０を設ければよく、電子機器３の構成を簡略化できる。
【００９０】
図１２の比較例に対する本実施形態の利点の１つとして、既存のリアルタイム放送サービスにＶｏＤサービスを新規に追加する際の容易さが挙げられる。ＶｏＤサービスを新規に行う事業者にとって、新たに配信装置２を設ければよく、放送装置１は図１２のものと同じでよい。例えば、放送装置１において、コンテンツ信号に対する保護処理やライセンス情報ＥＣＭの生成手法に変更を加える必要はない。しかも、配信装置２は放送装置１により保護処理されたコンテンツ信号を受信するため、配信装置２で改めてコンテンツ信号に対する保護処理を行う必要もない。また、ユーザにとっては、リアルタイム放送サービスに用いていた各部に対して、通信部３６を追加すればよく、コンテンツ保護解除部を追加する必要はない。
【００９１】
このように第１の実施形態では、配信装置２は放送波からコンテンツ信号およびライセンス情報ＥＣＭを受信する。そして、配信装置２は、通信手段により、放送波での送信と同じフォーマットでコンテンツ信号およびライセンス情報ＥＣＭを電子機器３に配信する。そのため、電子機器３のコンテンツ保護解除部３０は、放送装置１から放送波により送信されるコンテンツ信号に対しても、配信装置２から通信手段により配信されるコンテンツ信号に対しても、コンテンツ保護処理を行うことができ、電子機器３の構成を簡略化できる。
なお、本実施形態ではライセンス情報ＥＭＭを通信手段により送信する例を示したが、放送波により送信してもよい。
【００９２】
（第２の実施形態）
上述した第１の実施形態におけるＶｏＤサービスは、コンテンツ信号を蓄積しておき、電子機器からの要求に応じて通信手段による配信が行われるものであった。これに対し、以下に説明する第２の実施形態は、コンテンツ信号を構成する信号の一部を放送手段により、一部を通信手段により、同時にリアルタイムに配信するものである。以下、第１の実施形態との相違点を中心に説明する。
【００９３】
本実施形態のコンテンツ信号は複数の信号から構成され、一部は放送手段により、他の一部は通信手段により配信される。このようにすることで、放送手段のみ、あるいは、通信手段のみで配信する場合に比べて、より多くの情報を配信できる。
【００９４】
例として、コンテンツ信号のうち、主映像信号（例えばスポーツ番組における俯瞰映像）および主音声信号は放送手段により、付加的映像信号（例えばスポーツ番組における特定選手に注目した映像）および副音声を通信手段により配信してもよい。別の例として、コンテンツ信号のうち、４Ｋ解像度の映像信号を放送手段により、階層符号化を利用して４Ｋ解像度を８Ｋ解像度とするための付加情報を通信手段により配信してもよい。また別の例として、映像信号および音声信号を放送手段により配信し、関連する文字情報、画像情報、データなどを通信手段により配信しておよい。その他、種々の応用が想到されるのは言うまでもない。
【００９５】
いずれの場合でも、コンテンツ信号を構成する複数の信号は同期して再生されるべきものである。以下、便宜上、コンテンツ信号を構成する信号のうち、放送手段により配信される信号を放送配信信号（第１の信号）、通信手段により配信される信号を通信配信信号（第２の信号）と呼ぶ。放送配信信号および通信配信信号に複数の信号（例えば日本語の音声信号と中国語の音声信号など）が含まれていてもよい。
【００９６】
放送配信信号および通信配信信号のそれぞれは複数のパケットから構成される。各パケットには、自身が放送手段により配信されるパケットなのか、通信手段により配信されるパケットなのかを示す情報が、例えばヘッダに含まれる。また、各パケットには、絶対時刻（提示時刻）やシーケンス番号など、自身が再生されるべきタイミングを示す情報が含まれる。この情報に基づいて、コンテンツ信号を受信した電子機器は放送配信信号と通信配信信号とを同期させて再生できる。
【００９７】
図１３は、第２の実施形態に係るコンテンツ配信システムの概略構成を示す図である。本コンテンツ配信システムは、放送装置１ａと、電子機器３ａとを備えている。
【００９８】
放送装置１ａは、図３と共通する各部に加え、コンテンツ分離部１３と、放送配信部１４と、通信配信部１５とを有する。コンテンツ分離部１３は、コンテンツ信号を構成する信号に含まれる情報に基づいて、暗号化されたコンテンツ信号を、放送配信信号と通信配信信号とに分離する。放送配信部１４は、放送配信信号およびライセンス情報ＥＣＭ，ＥＣＭを、放送手段により送信する。通信配信部１５は、通信配信信号およびライセンス情報ＥＣＭを、通信手段により送信する。通信配信部１５は、これらをマルチキャストで送信することにより、不特定の送信先に効率よく送信できる。
【００９９】
ここで、コンテンツ信号は、図５で説明したように、コンテンツ保護処理部１２におけるスクランブラ１２１において、鍵Ｋｓで暗号化される。よって、放送配信信号および通信配信信号は、両方とも鍵Ｋｓで同じ方式で暗号化された、フォーマットが共通する信号である。また、放送配信信号および通信配信信号は、電子機器３ａからの要求に応じて配信されるのではなく、両方とも特定の時刻に互いに同期してリアルタイムに配信される。なお、必ずしもコンテンツ信号を構成する信号のすべてが暗号化されてなくてもよい。
【０１００】
電子機器３ａは、図３と共通する各部に加え、コンテンツ結合部３７を有する。コンテンツ結合部３７には、受信部３１から放送配信信号が、通信部３６から通信配信信号がそれぞれ供給される。放送配信信号および通信配信信号は、配信経路が互いに異なるため、遅延差が生じることがある。例えば、放送配信信号が先に受信されることもあり得るし、通信配信信号が先に受信されることもあり得る。そこで、コンテンツ結合部は、放送配信信号および通信配信信号に含まれている、タイミングを示す情報に基づいて、放送配信信号と通信配信信号とを同期させて結合する。
【０１０１】
コンテンツ保護解除部３０には、受信部３１および通信部３６からライセンス情報ＥＣＭが供給されるとともに、コンテンツ結合部３７から結合された信号が、受信部３１から放送配信信号が、通信部３６から通信配信信号がそれぞれ供給される。
【０１０２】
コンテンツ保護解除部３０における判定部３２は、ライセンス情報ＥＣＭに基づいて、コンテンツ信号を復号するか否かを判定する。より具体的には、判定部３２は、受信部３１から受信したライセンス情報ＥＣＭに基づいて、放送配信信号を復号するか否かを判定する。また、判定部３２は、通信部３６から受信したライセンス情報ＥＣＭに基づいて、通信配信信号を復号するか否かを判定する。さらに、判定部３２は、受信部３１から受信したライセンス情報ＥＣＭおよび通信部３６から受信したライセンス情報ＥＣＭに基づいて、結合された信号を復号するか否かを判定する。
【０１０３】
コンテンツ保護解除部３０におけるデスクランブラ３３には、コンテンツ結合部３７から結合された信号が、受信部３１から放送配信信号が、通信部３６から通信配信信号がそれぞれ供給される。デスクランブラ３３は、ユーザからの要求に応じて、いずれかの信号をデスクランブル（復号）する。より正確には、デスクランブラ３３は、ユーザの意図により指定された番組信号により、デスクランブルが必要なコンテンツの要素（信号）をデスクランブルする。これにより、スクランブルされていたコンテンツ信号は、スクランブルされる前の信号として復元される。
【０１０４】
結合された信号、放送配信信号および通信配信信号のいずれも、放送装置１ａのコンテンツ保護処理部１２によって同様に暗号化された、フォーマットが共通する信号であるので、デスクランブラ３３はいずれの信号であってもデスクランブルできる。すなわち、結合された信号用、放送配信信号用および通信配信信号用のそれぞれにデスクランブラを設ける必要はなく、１つのデスクランブラ３３を各信号をデスクランブルするために共用できる。
【０１０５】
デコーダ３４は復元された信号を映像信号や音声信号に変換する。このとき、デコーダは必要な処理も合わせて行ってもよい。上述した例であれば、放送配信信号が４Ｋ解像度の映像信号であり、通信配信信号が付加情報である場合、デコーダ３４は両信号から８Ｋ解像度の映像信号を生成する。また、複数の音声信号がある場合、デコーダ３４はそのうちの１つを選択してもよい。あるいは、主映像信号と副映像信号がある場合、デコーダは主映像信号の一部に副映像信号を重畳してもよい。
得られた映像信号および音声信号は、再生部３５で再生される。
【０１０６】
このように、第２の実施形態では、放送装置１ａのコンテンツ保護処理部１２で暗号化したコンテンツ信号を放送配信信号と通信配信信号とに分離し、これらをリアルタイムに配信する。放送配信信号および通信配信信号は同様に暗号化されていてフォーマットが共通するため、受信機である電子機器３ａは１つのデスクランブラ３３でいずれの信号も復号でき、電子機器３の構成を簡略化できる。
【０１０７】
なお、本実施形態において、無料放送、すなわち、特段の契約なしで視聴可能なコンテンツ信号を送信してもよい。その場合、放送装置１ａ内の顧客情報記憶部１１がなくてもよい。無料放送であることは、例えばコンテンツ信号に付随する制御情報ＥＣＭに基づいて把握できるようにしておけばよい。そして、そのような制御情報ＥＣＭを受信した電子機器３ａ内の判定部３２は、常に再生すると判定して鍵Ｋｓをデスクランブラ３３に出力すればよい。
【０１０８】
上述した実施形態で説明したコンテンツ配信システムの少なくとも一部は、ハードウェアで構成してもよいし、ソフトウェアで構成してもよい。ソフトウェアで構成する場合には、コンテンツ配信システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１０９】
また、コンテンツ配信システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１１０】
上記の記載に基づいて、当業者であれば、本発明の追加の効果や種々の変形を想到できるかもしれないが、本発明の態様は、上述した個々の実施形態には限定されるものではない。特許請求の範囲に規定された内容およびその均等物から導き出される本発明の概念的な思想と趣旨を逸脱しない範囲で種々の追加、変更および部分的削除が可能である。
【符号の説明】
【０１１１】
１  放送装置
１１  顧客情報記憶部
１２  コンテンツ保護処理部
１２１  スクランブラ
１２２，１２３  暗号化部
１２４，１２５  送信部
１３  コンテンツ分離部
１４  放送配信部
１５  通信配信部
２  配信装置
２１  受信部
２２  処理部
２３  蓄積部
２４  配信部
２５  顧客情報記憶部
３  電子機器
３０  コンテンツ保護解除部
３１，３１ａ，３１ｂ  受信部
３２  判定部
３２１，３２２  復号部
３２３  契約情報記憶部
３２４  契約判定部
３３  デスクランブラ
３４  デコーダ
３５  再生部
３６  通信部
３７  コンテンツ結合部
【図１】
0006518487.tif 000002
【図２】
0006518487.tif 000003
【図３】
0006518487.tif 000004
【図４】
0006518487.tif 000005
【図５】
0006518487.tif 000006
【図６】
0006518487.tif 000007
【図７】
0006518487.tif 000008
【図８】
0006518487.tif 000009
【図９】
0006518487.tif 000010
【図１０】
0006518487.tif 000011
【図１１】
0006518487.tif 000012
【図１２】
0006518487.tif 000013
【図１３】
0006518487.tif 000014